(57)【要約】【課題】浴室から回収される汚染空気によって換気ファン本体に悪影響が及ぶおそれがなく、換気ファン本体の頻繁なメンテナンス並びに交換が不要となって、そのための手間を省くと共に、コストを削減することができる換気システムを提供することを課題とする。【解決手段】浴室１５以外の複数の室から伸びるダクトホース２をそれぞれ換気ファン本体１に直結し、換気ファン本体１から室外に伸びる排気ダクト３の途中に分岐管４を設け、分岐管４を浴室１１内に連通させる構成とすることで、浴室１１からの汚染空気が換気ファン本体１内に流入しないようにした。排気ダクト３内の分岐管４設置部よりも室内側に、ドーナツ状の絞径板８が設置されることがある。【選択図】図１
2015121393.tif 000002
【特許請求の範囲】
【請求項１】
浴室以外の複数の室から伸びるダクトホースをそれぞれ換気ファン本体に直結し、前記換気ファン本体から室外に伸びる排気ダクトの途中に分岐管を設け、前記分岐管を前記浴室内に連通させたことを特徴とする換気システム。
【請求項２】
前記排気ダクト内の前記分岐管設置部よりも室内側に、ドーナツ状の絞径板を設置した、請求項１に記載の換気システム。
【請求項３】
前記排気ダクトの前記分岐管設置部分を二重にして環状の環状通気空間を設け、その内周側周面に通気孔を設け、前記分岐管に流入した前記浴室内の汚染空気が、前記環状通気空間から前記通気孔を抜けて前記排気ダクト内に流出するようにした、請求項１に記載の換気システム。
【請求項４】
前記環状通気空間の内周面側の前記通気孔よりも室内側に、ドーナツ状の絞径板を設置した、請求項３に記載の換気システム。
【発明の詳細な説明】
【技術分野】
【０００１】
本発明は、換気システムに関するものであり、より詳細には、一般住宅、特に高断熱・高気密住宅等において、住宅全体に亘り、常時、機械換気を行なうための換気システムに関するものである。
【背景技術】
【０００２】
近年、新築・改築後の住宅やビルにおいて、建築材料・家具等から発散する化学物質による室内空気汚染等により、めまい、吐き気、頭痛、目・鼻・喉の痛み等、居住者の健康にさまざまな影響が生じている事例が数多く報告され、それは「シックハウス症候群」、「シックビルディング症候群」等と呼ばれている。
【０００３】
更に、住宅設備の進歩に伴い、風呂、洗濯場、トイレ等の住宅内への設置化が進められ、人体由来の水分に加え、室内に放出される水分（水蒸気）量は上昇する傾向にある。そして、これらの化学物質及び水分に加え、人体から発せられる炭酸ガスによる室内空気汚染が、近年特に問題視されてきている。
【０００４】
上記室内空気汚染は、常時、ある一定の割合で進むものであって、タバコの煙、トイレ臭気、入浴時の多量な水分（湿気）、室内に燃焼ガス（排気ガス）を排出する燃焼器具等に対処するために採用される、局時・局所的に多量の換気を行う手法（これを局所換気と呼ぶ）では解決することができない。
【０００５】
上記室内空気汚染に対処するためには、住宅全体を対象とし、２４時間、常時、ある一定量を換気し続けることが必要であり、また、住宅内に居住空間（居間・寝室など）から非居住空間（トイレ・脱衣場など）への空気の流れを作ることで、極力汚染空気を人体に影響させないことが必要である。近年これらの技術は、局所換気と区別して「計画換気」、「換気システム」等と呼ばれ、種々のものが開発されてきている。特に、近年増えてきている高断熱・高気密住宅のような高性能住宅には、その技術を採用する例が増えてきている。
【０００６】
この計画換気のための換気システムにおいては、各室に開口していて天井裏等を介して延びるダクトホースが換気ファン本体に直結され、換気ファン本体の作用で各室から回収された汚染空気は、一旦換気ファン本体内に流入し、その後、換気ファン本体から室外に向けて延びる排気ダクトを通って室外に排気される（例えば、特開２００７−８５７０１号公報、特開２００６−１１２６５０号公報、特開２００５−１７２３５５号公報等参照）。
【０００７】
この換気システムの場合、ダクトホースは浴室にも設置され、浴室内の汚染空気も吸引排出されるが、浴室においてはシャンプーやリンス、ボディソープ、洗顔フォーム、浴槽洗浄剤等のせっけん類や、入浴剤等が用いられるため、それらの微粒子が蒸気と共に換気ファン本体内に流入することになり、その結果内部機器に悪影響が及び、換気ファン本体の故障の原因となって頻繁なメンテナンスが必要となり、また、換気ファン本体の寿命を縮めるおそれがある。
【先行技術文献】
【特許文献】
【０００８】
【特許文献１】特開２００７−８５７０１号公報
【特許文献２】特開２００６−１１２６５０号公報
【特許文献３】特開２００５−１７２３５５号公報
【発明の概要】
【発明が解決しようとする課題】
【０００９】
上述したように、従来の計画換気のための換気システムの場合は、浴室から回収された、湿気、並びに、せっけん類や入浴剤等の微粒子を含む汚染空気によって換気ファン本体が悪影響を受けて故障したりし、その故障に伴う頻繁なメンテナンス、並びに、換気ファン本体の交換を余儀なくされていた。
【００１０】
本発明は、このような従来の計画換気のための換気システムにおける問題を解決するためになされたもので、浴室から回収される上記汚染空気によって換気ファン本体に悪影響が及ぶおそれがなく、換気ファン本体の頻繁なメンテナンス並びに交換が不要となって、そのための手間を省くと共に、コストを削減することができる換気システムを提供することを課題とする。
【課題を解決するための手段】
【００１１】
上記課題を解決するための請求項１に記載の発明は、浴室以外の複数の室から伸びるダクトホースをそれぞれ換気ファン本体に直結し、前記換気ファン本体から室外に伸びる排気ダクトの途中に分岐管を設け、前記分岐管を前記浴室内に連通させたことを特徴とする換気システムである。
【００１２】
一実施形態においては、前記排気ダクト内の前記分岐管設置部よりも室内側に、ドーナツ状の絞径板が設置される。
【００１３】
また、一実施形態においては、前記排気ダクトの前記分岐管設置部分を二重にして環状の環状通気空間を設け、その内周側周面に通気孔を設け、前記分岐管に流入した前記浴室内の汚染空気が、前記環状通気空間から前記通気孔を抜けて前記排気ダクト内に流出するようにされる。また、その場合、前記環状通気空間の内周面側の前記通気孔よりも室内側に、ドーナツ状の絞径板が設置される。
【発明の効果】
【００１４】
本発明は上述したとおりであって、浴室以外の複数の室から伸びるダクトホースをそれぞれ換気ファン本体に直結し、前記換気ファン本体から室外に伸びる排気ダクトの途中に分岐管を設け、前記分岐管を前記浴室内に連通させるという構成であるため、浴室から回収される湿気、並びに、せっけん類や入浴剤等の微粒子を含む汚染空気は換気ファン本体を経ることなく室外に排出されることになり、以て、その汚染空気によって換気ファン本体が悪影響を受けるおそれがなくなり、換気ファン本体の頻繁なメンテナンス並びに交換が不要となって、そのための手間を省くと共に、コストを削減することが可能となる効果がある。
【００１５】
請求項２及び４に記載の発明においては、排気ダクト内に配設されるドーナツ状の絞径板の作用により、浴室内の汚染空気の排出が促進される効果がある。
【図面の簡単な説明】
【００１６】
【図１】本発明の一実施形態を示す簡略構成図である。
【図２】本発明において用いる排気ダクトの一構成例を示す側面図及びＡ−Ａ線断面図である。
【図３】本発明において用いる排気ダクトの他の構成例を示す側面図及びＢ−Ｂ線断面図である。本発明の第３の実施形態の構成図である。
【図４】本発明において用いる排気ダクトの一構成例を示す側面図及びＣ−Ｃ線断面図である。
【発明を実施するための形態】
【００１７】
本発明の実施形態につき、添付図面を参照しつつ説明する。本発明に係る換気システムは、図１に示されるように、浴室１５以外の複数の室から伸びるダクトホース２をそれぞれ換気ファン本体１に直結し、換気ファン本体１から室外に伸びる排気ダクト３の途中に分岐管４を設け、分岐管４を適宜ダクトホース並びに吸気グリルを介して浴室１５内に連通させることを特徴とするものである。通例、分岐管４は１本であるが、複数本設けることとしてもよい。排気ダクト３の室外側端部には、適宜排気フード５を設置する。
【００１８】
図２は、本発明において用いる排気ダクトの一実施形態を示す側面図及びＡ−Ａ線断面図であり、この構成の場合は、排気ダクト３の中程に、排気ダクト３内に向けて開口する分岐管４が設置される。排気ダクト３の室内側端部は換気ファン本体１に接続され、その室外側端部には排気フード５が取り付けられる。また、分岐管４の端部は、浴室１５内の天面に設置される吸気グリルから延びるダクトホースに接続される。なお、図中の符号６は、気密保持用のシールバンドを示すが、このシールバンド６は必須のものではない。
【００１９】
この実施形態の場合、各室内の汚染空気ａは、常時換気ファン本体１の作用で少しづつ吸い出され、それぞれダクトホース２を通って換気ファン本体１内に集められた後、排気ダクト３及び排気フード５を経て大気に放出される。このように排気ダクト３内を汚染空気ａが通流することにより、分岐管４内は負圧状態となる。それにより、浴室１５内の汚染空気ｂは、吸気グリルからダクトホースを通って分岐管４内に引き込まれ、排気ダクト３内に放出されて汚染空気ａの流れに合流し、汚染空気ａと一緒に大気に放出される。この浴室１５からの汚染空気ｂは、換気ファン本体１内に入り込むことなく直接排気ダクト３内に放出されるので、換気ファン本体１内に入って換気ファン本体１に悪影響を及ぼすおそれはない。
【００２０】
図３に示す実施形態は、上記実施形態における排気ダクト３内に、ドーナツ状の絞径板８を配設したものである。この絞径板８は、排気ダクト３内の分岐管４設置部近辺、あるいは、それよりも少し室内側に配置される。
【００２１】
このように絞径板８を配設した場合は、絞径板８の部分において流路の径が狭まるため、排気ダクト３内を流れる汚染空気ａの流速は、絞径板８を越えた時点、換言すれば、分岐管４の開口部を通過する時点で速くなり、それに伴って分岐管４内の負圧が高まる。その結果、浴室１５内の汚染空気ｂの分岐管４内への引き込み効率が向上する。
【００２２】
図４に示す実施形態は、排気ダクト３の分岐管４設置部分を外方に広げて二重にして環状の環状通気空間１０を形成し、分岐管４をこの環状通気空間１０に開口するように設置したものである。環状通気空間１０を形成する外周側周面１１は全体が閉塞状態にされるが、内周側周面には通気孔１２が穿設され、通気孔１２を通して環状通気空間１０と排気ダクト３内とが連通するようにされる。通気孔１２は、図示した例のように小穴を適宜間隔置きに環状に配したものであってもよいが、一連の、又は、断続的なスリットであってもよい。また、この実施形態の場合においても、排気ダクト３内の通気孔１２形成部よりも室内側に、ドーナツ状の絞径板１３を配設することが好ましい。
【００２３】
この実施形態の場合は、分岐管４内に吸入される浴室１５内の汚染空気ｂは、分岐管４の開口部から環状通気空間１０内に流入した後、通気孔１２を抜けて排気ダクト３内に流入しようとする。一方、換気ファン本体１から排気ダクト３内に流れてくる汚染空気ａは、絞径板１３を通過することによってその通過直後の通気孔１２形成部において流速が速まり、汚染空気ｂの分岐管４内への引き込み、並びに、環状通気空間１０から排気ダクト３内への流出を促進する。そして、排気ダクト３内に流出した汚染空気ｂは、汚染空気ａと共に大気に放出される。
【００２４】
本発明に係る換気システムは上記のとおりであって、従来の換気システムにおける排気ダクト部分に若干の変更を加えるだけで実施可能であって、既設のシステムの多くの部分をそのまま利用することができるので、コスト的に負担となることはない。そして、汚染空気によって換気ファン本体に悪影響が及ぶおそれがなくなり、換気ファン本体の頻繁なメンテナンス並びに交換が不要となって、そのための手間を省くと共に、その分のコストを削減することが可能となるものである。
【符号の説明】
【００２５】
１    換気ファン本体
２    ダクトホース
３    排気ダクト
４    分岐管
５    排気フード
６    シールバンド
８    絞径板
１０  環状通気空間
１１  外周側周面
１２  通気孔
１３  絞径板
【図１】
2015121393.tif 000003
【図２】
2015121393.tif 000004
【図３】
2015121393.tif 000005
【図４】
2015121393.tif 000006